(57)【要約】【課題】カメラの動作を制御するマイクロコンピュータがリセットされても装填中の写真フイルムで撮影が継続できるようにする。【解決手段】マイクロコンピュータ１５は、それがリセットされると、シャッタチャージの有無に応じたＳＨＣ信号を調べ、シャッタチャージされていない場合には、給送モータ２１を駆動して１コマ分のフイルム給送を実行する。シャッタチャージされている場合には、レリーズボタン７の押圧によりシャッタチャージがされている状態からされていない状態に変化した際に１度だけ撮影可能な状態に写真フイルムが装填されているか否かにかかわらず、１コマ分のフイルム給送を実行する。【選択図】        図２
2004302277.tif 000002
【特許請求の範囲】
【請求項１】
フイルム給送によってシャッタチャージされるシャッタ装置と、少なくとも給送モータによる撮影完了毎の１コマ分のフイルム給送を制御するとともに、撮影可能な状態に写真フイルムが装填されているか否かの装填情報を写真フイルムの給送時に更新するとともに動作中に保持するマイクロコンピュータとを備えたカメラにおいて、
前記シャッタ装置のシャッタチャージの有無に応じたチャージ信号を出力するチャージ検出手段を備え、前記マイクロコンピュータは、起動した際に前記チャージ信号を調べてシャッタチャージされていないことを検知したときには、前記給送モータを駆動して１コマ分のフイルム給送を行い、この写真フイルムの給送結果に応じて前記装填情報を更新することを特徴とするカメラ。
【請求項２】
前記マイクロコンピュータは、前記装填情報が起動後に更新されたものでない場合には、前記チャージ信号に基づいてシャッタチャージされていない状態に変化したことを検知した際には、１度だけ装填情報にかかわらず、前記給送モータを駆動して１コマ分のフイルム給送を行い、この写真フイルムの給送結果に応じて前記装填情報を更新することを特徴とする請求項１記載のカメラ。
【発明の詳細な説明】
【０００１】
【発明の属する技術分野】
本発明は、カメラに関するものである。
【０００２】
【従来の技術】
現在の多くのカメラは、撮影やフイルム給送などをマイクロコンピュータを用いて制御している。マイクロコンピュータは、電池で動作するが、電池の交換や、給送モータの駆動による一時的な電池の出力電圧の低下、電気的なノイズの影響などにより、リセットされることがある。
【０００３】
マイクロコンピュータがリセットされると、それに記憶されている撮影可能な状態に写真フイルムが装填されているか否かの装填情報等が消失してしまう。装填情報としては、写真フイルムの装填の有無、写真フイルムが使用途中であるか、取り出しを待っている状態か等を示すものがある。
【０００４】
上記のようにマイクロコンピュータのリセットされてしまった場合に、そのリセット後には装填情報が意味をなさないので、無条件に写真フイルムの巻き戻し処理を行って取り出せるようにしたり、無条件に１コマ分のフイルム給送の処理を行って次の撮影コマに露光が行われるようにしたカメラが知られている。
【０００５】
この出願の発明に関連する先行技術文献情報としては、次の特許文献１〜３がある。
【０００６】
【特許文献１】
特開平５−３４１３６６号公報
【特許文献２】
特開平９−２８１５７１号公報
【特許文献３】
特許第２８４８４２６号公報
【０００７】
【発明が解決しようとする課題】
ところで、撮影可能な写真フイルムが装填されている状態で、マイクロコンピュータがリセットされた後に、上記のように無条件で全ての写真フイルムあるいは１コマ分の写真フイルムの巻き戻しを行ってしまうと、使用可能な全ての写真フイルムあるいは１コマ分が無駄になってしまう。
【０００８】
特にプレワインド方式を採用しているカメラでは、プレワインドの完了時にマイクロコンピュータがリセットされる可能性が高く、この場合に全ての写真フイルムの巻き戻しを行うと、写真フイルムを未使用のままパトローネに巻き込んでしまい撮影に供することができなくなってしまう。
【０００９】
本発明は、上記事情を考慮してなされたもので、マイクロコンピュータがリセットされても写真フイルムを無駄にすることがないカメラを提供することを目的とする。
【００１０】
【課題を解決するための手段】
上記目的を達成するために、請求項１記載の発明では、シャッタ装置のシャッタチャージの有無に応じたチャージ信号を出力するチャージ検出手段を備え、マイクロコンピュータは、起動した際に前記チャージ信号を調べてシャッタチャージされていないことを検知したときには、給送モータを駆動して１コマ分のフイルム給送を行い、この写真フイルムの給送状態に応じて装填情報を更新するものである。
【００１１】
マイクロコンピュータは、装填情報が起動後に更新されたものでない場合には、チャージ信号に基づいてシャッタチャージされていない状態に変化したことを検知した際には、１度だけ装填情報にかかわらず、給送モータを駆動して１コマ分のフイルム給送を行い、この写真フイルムの給送状態に応じて前記装填情報を更新するものである。
【００１２】
【発明の実施の形態】
本発明を実施したカメラの外観を図１に示す。カメラの前面には、撮影レンズ２，ファインダの対物側窓３，ストロボ発光部４，ストロボ操作部材５，レンズバリア操作部材６が設けられている。また、上面には、レリーズボタン７，ストロボ発光が可能となったことを表示する充電完了表示窓８が設けられている。さらに、カメラの一方の側面には、裏蓋操作部材９と、使用途中の写真フイルムを強制的にパトローネ内に巻き戻す際に押圧操作される巻戻し操作部材１０とが設けられている。
【００１３】
レリーズボタン７は、浅く押圧した半押し位置と、さらに押し込んだ全押し位置とに押圧操作可能にされている。レリーズボタン７を半押し位置とすると、ストロボ発光部４の内部に設けられた赤目防止ＬＥＤ１１（図２参照）がシャッタ羽根の開閉動作が行われる直前まで点灯する。レリーズボタン７を半押し位置からさらに全押し位置とすることにより、シャッタ羽根の開閉動作が行われて撮影レンズ２を通して写真フイルムに露光が与えられる。
【００１４】
ストロボ操作部材５は、図示するオフ位置と、このオフ位置から上方にスライド移動されたオン位置との間でスライド操作可能にされている。このストロボ操作部材５をオン位置とすると、ストロボ発光のための充電動作が行われるとともにストロボ発光が許容され、オフ位置とすると充電動作が停止されるとともにストロボ発光が禁止される。ストロボ発光部４は、ストロボ操作部材５がオン位置のときに、シャッタ羽根の開閉動作に同期してストロボ光を被写体に向けて照射する。充電完了表示窓８の奧には充電完了表示用のＬＥＤ（図示省略）が配されており、ストロボ発光が可能な状態になったことを撮影者に知らせる。
【００１５】
このカメラには、１３５タイプの写真フイルムが装填される。写真フイルムの装填は、裏蓋操作部材９を操作することにより、装填蓋としての裏蓋１３を開放することで行うことができる。また、このカメラでは、装填直後に未露光の全ての写真フイルムをカメラ側の巻取りスプールにいったん巻き上げ、撮影完了毎に１コマ分ずつパトローネ内に巻き戻しを行うプレワインド方式となっている。なお、巻戻し操作部材１０を押圧操作すると、強制的にパトローネに全写真フイルムが巻き戻される。
【００１６】
上記カメラの要部構成を図２に示す。マイクロコンピュータ１５は、写真フイルムのフイルム給送を制御と、ストロボ発光のための充電動作の禁止を制御する。マイクロコンピュータ１５を含むこのカメラの各電気回路は、電池１６を共通の電源として駆動される。この電池１６としては、例えば２本の単４形アルカリ乾電池が用いられている。赤目防止ＬＥＤ１１は、マイクロコンピュータ１５によって直接に駆動され、前述のようにレリーズボタン７が半押し位置とされた時点で点灯される。なお、レリーズボタン７が素早く全押し位置にまで押圧された際には、赤目防止ＬＥＤ１１は点灯されない。
【００１７】
給送モータ２１は、マイクロコンピュータ１５の制御の下でドライバ２２によって駆動され、その回転は給送機構２３に伝達される。この給送モータ２１としては、正逆両方向に回転可能なものが用いられている。給送機構２３は、カメラ側の巻取りスプール，装填されたパトローネのスプールに係合するフォーク，給送モータ２１の回転方向に応じて、その回転をフォークまたは巻取りスプールに伝達するギア列等から構成されている。
【００１８】
給送モータ２１が正転されると、その回転が給送機構２３を介して巻取りスプールに伝達される。これにより、写真フイルムのプレワインドが行われる。また、給送モータ２１が逆転されると、その回転が給送機構２３を介してフォークに伝達されることにより、パトローネのスプールが回転されてパトローネ内に写真フイルムが巻き戻される。給送機構２３には、写真フイルムの側縁に沿って形成されたパーフォレーションと係合し、写真フイルムの給送に従動回転するスプロケットが設けられている。このスプロケットは、写真フイルムが１コマ分給送されると１回転する。
【００１９】
シャッタ装置２４は、レリーズボタン７の全押し位置への押圧操作に応答してシャッタ羽根の開閉動作を行う。シャッタ装置２４としては、蹴飛ばし式と呼ばれる簡単な構成なものが用いられており、シャッタ駆動レバーをレリーズボタン７の押圧に応答してチャージ位置からリリース位置に向けて移動させることにより、シャッタ羽根を回動させて開閉動作を行う。前述のスプロケットが１回転することにより、シャッタ駆動レバーがリリース位置からチャージ位置に移動されてシャッタ装置２４がシャッタチャージされる。シャッタ駆動レバーは係止部材によってチャージ位置に係止され、レリーズボタン７を押圧すると係止部材による係止が解除されて、シャッタ駆動レバーがリリース位置に向けて移動する。
【００２０】
ストロボ装置２５は、ストロボ光を放出するストロボ放電管，ストロボ発光に先立って充電されるメインコンデンサ，メインコンデンサを充電するための昇圧回路、充電完了を知らせるＬＥＤ，ストロボスイッチ２６，シンクロスイッチ２７等から構成されている。
【００２１】
ストロボスイッチ２６は、ストロボ操作部材５に連動してオン・オフされる。ストロボ操作部材５をオン位置とすると、ストロボスイッチ２６がオンとなり、メインコンデンサの充電動作が行われるとともに、撮影に同期してストロボ発光が行われる。また、ストロボ操作部材５をオフ位置とすると、ストロボスイッチ２６がオフとなって充電動作が停止されるとともに、ストロボ発光が禁止される。
【００２２】
シンクロスイッチ２７は、シャッタ羽根がシャッタ開口を全開にした瞬間にオンとされる。ストロボスイッチ２６がオンとされ、メインコンデンサの充電が完了している状態で、シンクロスイッチ２７がオンとなると、その瞬間にストロボ発光が行われる。
【００２３】
ストロボ装置２５は、マイクロコンピュータ１５からの充電禁止信号が入力されることにより、充電動作を停止する。マイクロコンピュータ１５は、シャッタ羽根の開閉動作を開始した時点から、撮影に引き続き行われる写真フイルムのコマ送りが完了するまで充電禁止信号を出力する。これにより、フイルム給送中にメインコンデンサの充電動作が行われることを禁止し、電池１６から過大な電流が流れることによるその電池１６の出力電圧の低下を防止して、マイクロコンピュータ１５がリセットされないようにしている。なお、充電禁止信号は、コマ送り中の他に、プレワインド中，巻き戻し中などの給送モータ２１の動作時にもストロボ装置２５に入力される。
【００２４】
マイクロコンピュータ１５には、ＳＨＣスイッチ３１，Ｓ１スイッチ３２，ＳＢスイッチ３３，ＳＰＦスイッチ３４がそれぞれ接続されている。ＳＨＣスイッチ３１は、シャッタ装置２４のシャッタチャージ状態を検出する。このＳＨＣスイッチ３１は、シャッタ装置２４がシャッタチャージされているときにオフ、それ以外ではオンとなる。したがって、ＳＨＣスイッチ３１は、前述のシャッタ駆動レバーがチャージ位置にあるときにオフとなり、そのチャージ位置からリーリス位置に向けて移動を開始した瞬間にオンとなる。このＳＨＣスイッチ３１のオン・オフは、ＳＨＣ信号としてマイクロコンピュータ１５に与えられる。
【００２５】
Ｓ１スイッチ３２は、レリーズボタン７が半押し位置とされたときにオンとなって全押し位置でもオンを維持し、それ以外ではオフとなる。このＳ１スイッチ３２のオン・オフは、Ｓ１信号としてマイクロコンピュータ１５に与えられる。マイクロコンピュータ１５は、このＳ１信号のオン・オフによって、レリーズボタン７の押圧操作、及び押圧操作の解除の検知を行う。なお、全押し位置まで押圧されたか否か、また全押し位置からの押圧操作の解除は検知していない。
【００２６】
ＳＢスイッチ３３は、裏蓋１３に連動してオン・オフし、裏蓋１３が閉じているときにオフ、開いているときにオンとなる。また、このＳＢスイッチ３３は、巻戻し操作部材１０にも連動しており、裏蓋１３が閉じているときに巻戻し操作部材１０を押圧すると、ＳＢスイッチ３３がオンとなる。このＳＢスイッチ３３のオン・オフは、ＳＢ信号としてマイクロコンピュータ１５に与えられる。ＳＢ信号は、裏蓋１３の開閉の検知，プレワインドやリワインドの制御等に用いられる。
【００２７】
ＳＰＦスイッチ３４は、給送機構２３のスプロケットの回転に連動しており、写真フイルムの１コマ給送に連動してオン・オフする。このＳＰＦスイッチ３４のオン・オフは、ＳＰＦ信号としてマイクロコンピュータ１５に与えられ、写真フイルムの給送の制御に用いられる。
【００２８】
なお、この例においては、ＳＨＣスイッチ３１がチャージ検出手段，ＳＨＣ信号がチャージ信号である。また、Ｓ１スイッチ３２がレリーズ検出手段，Ｓ１信号がレリーズ信号である。
【００２９】
マイクロコンピュータ１５は、プログラムを実行するＣＰＵ，Ｉ／Ｏ回路，ＲＯＭ１５ａ，ＲＡＭ１５ｂ等から構成されている。ＲＯＭ１５ａには，フイルム給送及び充電禁止等を制御するためのプログラムが書き込まれており、このプログラムにしたがってマイクロコンピュータ１５は、上記の各スイッチ３１〜３４の信号に基づき赤目防止ＬＥＤ１１の駆動、給送モータ２２の駆動、ストロボ装置２５への充電禁止信号の出力の制御を行う。
【００３０】
ＲＡＭ１５ｂは、制御に必要なパラメータが記憶される。パラメータとしては、撮影可能な状態に写真フイルムが装填されているか否かを示す装填情報としての給送状態と、処理の実施状態を示す処理フラグ等がある。給送状態としては、「初期状態」と、「予備巻中」と、「コマ送り中」とがあり、いずれか１つの給送状態がセットされる。
【００３１】
「初期状態」は、写真フイルムが装填されていないか、パトローネ内に全ての写真フイルムを巻き戻されたリワインド処理済の写真フイルムが装填されていることを示しており、リワインド処理が完了されたとき、及びマイクロコンピュータ１５がリセットされた後に動作を開始したときにセットされる。この「初期状態」は、撮影に使用可能な状態で写真フイルムが装填されていないことを示している。
【００３２】
「予備巻中」は、写真フイルムが装填されていることを示すとともに、予備巻が完了していることを示す。この「予備巻中」は、ＳＰＦ信号に基づいて、プレワインド処理の開始に先だって行われる予備巻処理によって、写真フイルムがカメラ側の巻取りスプールに巻き付けられたことが確認された時点でセットされる。
【００３３】
「コマ送り中」は、プレワインドが完了し、撮影に使用可能な写真フイルムが装填されていることを示す。この「コマ送り中」は、プレワインド後に行われるファーストフレームセットを行う際にセットされるが、撮影毎に行われる１コマ給送処理が実施される毎にも給送状態が「コマ送り中」となるように再セットされる。したがって、後述するようにマイクロコンピュータ１５のリセットで、写真フイルムの装填されているにもかかわらず「初期状態」とされている場合でも、１コマ給送処理が行われると給送状態が「コマ送り中」となる。
【００３４】
処理フラグは、１コマ給送処理，リワインド処理，プレワインド処理内の予備巻処理のいずれか１つでも実施済であるか否かを判別するために用いられるものであり、いずれか１つでも実施済である場合には「１」に、全てが未実施のときには「０」がセットされる。マイクロコンピュータ１５がリセットされたとき、写真フイルムを装填してプレワインドが実施された後に、その写真フイルムが装填されている状態で裏蓋１３が開閉されることに応答したリワインド処理が実施されときに、この処理フラグはリセットされて「０」とされる。
【００３５】
上記の処理フラグを参照することにより、マイクロコンピュータ１５がリセット後にフイルム給送を実施したか否かを判断することができ、ＲＡＭ１５ｂに記憶されている給送状態（装填情報）がフイルム給送を実施することによって更新されたものであるか否かが判別できる。
【００３６】
Ｉ／Ｏ回路には、ドライバ２２，ストロボ装置２５，各スイッチ３１〜３４が接続されており、このＩ／Ｏ回路を介して各スイッチ３１〜３４からの入力信号がＣＰＵで監視され、またドライバ２２，ストロボ装置２５への信号送出を行う。
【００３７】
このように構成されるカメラには、電源スイッチが設けられておらず、マイクロコンピュータ１５は、通常はＳ１信号とＳＢ信号のオフからオンへの変化だけを監視することで、低電力で作動するスタンバイモードとなっている。スタンバイモード下でＳ１信号またはＳＢ信号が変化すると、マイクロコンピュータ１５は、撮影を実行するためにスタンバイモードを解除して、動作制御モードとなり、各スイッチ３１〜３４からの信号を監視し、それに基づいてドライバ２２，ストロボ装置２５の制御を行う。
【００３８】
バックアップコンデンサ３６は、電池１６の出力電圧の瞬間的な低下した際にもマイクロコンピュータ１５供給電圧を維持することによって、マイクロコンピュータ１５がリセットされることを防止する。また、ダイオード３７は、バックアップコンデンサ３６の電力がストロボ装置２５等で消費さることを防止する。
【００３９】
マイクロコンピュータ１５は、それがリセットされたときには、その後の動作を開始した時点でＳＨＣ信号を調べる。ＳＨＣ信号がオンのときには、レリーズボタン７の操作の有無にかかわらず、給送モータ２１を駆動して１コマ給送処理を行い、その給送結果に応じた給送状態に更新する。また、処理フラグが「０」のときにＳＨＣ信号がオフからオンに変化した場合には、１度だけその時点の給送状態にかかわらず給送モータ２１を駆動して１コマ給送処理を行い、給送結果に応じた給送状態に更新する。
【００４０】
すなわち、マイクロコンピュータ１５のリセット後にシャッタチャージされていない場合には１コマ給送を行う。また、マイクロコンピュータ１５のリセット後にシャッタチャージされている場合には、給送状態が撮影可能な写真フイルムが装填されていないことを意味する「初期状態」とされているが、レリーズボタン７の押圧操作に応答して１コマ給送を行う。
【００４１】
給送結果は、ＳＰＦ信号，ＳＨＣに基づいて判断され、例えば１コマ給送が正常に行われ次コマがセットされたことが検知された場合には、給送状態が「コマ送り中」に更新される。また、最終コマであることが検知されてリワインド処理が行われたり、写真フイルムの給送が検知されなかった場合には、「初期状態」がセットされる。なお、このようなリセットにともなう１コマ給送処理が行われた時点でも処理フラグは「１」とされる。
【００４２】
上記のようにすることによって、写真フイルムの装填中における、電池交換やプレワインド完了時の電池１６の出力電圧の低下等の理由によって、マイクロコンピュータ１５がリセットされても、装填中の写真フイルムを用いて撮影ができるようにしている。
【００４３】
なお、上記のリセット後の処理を行う際には、ＳＢ信号が参照され、このＳＢ信号がオフのとき、すなわち裏蓋１３が閉じられている状態であるときに１コマ給送が行われる。
【００４４】
次に上記構成の作用について図３ないし図６を参照しながら説明する。最初に通常の動作の説明をする。写真フイルムの装填は、裏蓋操作部材９を操作して裏蓋１３を開放し、パトローネをパトローネ室に装填するとともに、そのパトローネから予め僅かに引き出されている写真フイルムの先端をフイルム室のスプールに掛かるまでさらに引き出してから裏蓋１３を閉じる。
【００４５】
図３にスタンバイ処理を示すように、マイクロコンピュータ１５は、フイルム給送等の動作制御が完了し、ＳＢ信号及びＳ１信号がオフであるときには、スタンバイモードとなる。このスタンバイモードとなると、マイクロコンピュータ１５は、Ｓ１信号，ＳＢ信号だけを繰り返し監視する。そして、Ｓ１信号，ＳＢ信号のいずれか一方がオンに変化すると、スタンバイモードを解除して動作制御モードとなって図４に示す分岐処理を実行する。
【００４６】
上記のように写真フイルムの装填のために裏蓋１３が開放されると、ＳＢ信号がオンとなるため、マイクロコンピュータ１５は動作制御モードとしてから分岐処理を実行する。分岐処理が実行されると、まずストロボ装置２５の充電が許可されてから、ＳＢ信号が調べられる。ＳＢ信号がオフである場合には、次にＳ１がオフであるか否かが調べられる。
【００４７】
この場合には写真フイルムを装填するために裏蓋１３を開放しており、レリーズボタン７を押圧していないから、ＳＢ信号がオン，Ｓ１信号がオフとなっているので、次のＳ１がオンであるか否かを調べるステップ及びＳＢ信号がオフであるか否かを調べるステップを繰り返し行うようになる。そして、写真フイルムの装填後に裏蓋１３を閉じると、ＳＢ信号がオフとなるので給送状態が「初期状態」であるか否かを調べるステップが実行される。
【００４８】
前回の撮影に使用した写真フイルムをパトローネに巻き戻したリワインド処理が完了した時点で、あるいはマイクロコンピュータ１５がリセットされた時点でＲＡＭ１５ａの給送状態が「初期状態」にされているから、次に給送モータ２１が正転されて予備巻処理が行われ、装填された写真フイルムの先端部がカメラ側のスプールに巻き付けられる。写真フイルムの先端部がスプールに巻き付けられたことがＳＰＦ信号の変化、すなわちスプロケットの回転から検知されると、給送状態が「予備巻中」に変更されてからプレワインド処理が実行される。
【００４９】
プレワインド処理では、予備巻処理と同様に給送モータ２１が正転されて写真フイルムの全ての写真フイルムがカメラ側の巻取りスプールに巻き上げられる。そして、全ての写真フイルムが巻き上げられたことがＳＰＦ信号の変化から検知されると、給送状態が「コマ送り中」とされてから、ファーストフレームセットが行われる。
【００５０】
ファーストフレームセットでは、給送モータ２１が逆転され、ＳＰＦ信号に基づいて写真フイルムが例えば２コマ分巻き戻される。そして、このファーストフレームセットでのフイルム給送中には、スプロケットの回転でシャッタ装置２４のシャッタチャージが行われ、シャッタチャージの完了にともなってＳＨＣ信号がオフとなる。
【００５１】
ファーストフレームセットが終了すると、分岐処理の最初に戻り、レリーズボタン７，裏蓋１３を操作しなければＳ１信号，ＳＢ信号がオフとなっているので、図３のスタンバイ処理が実行されて、スタンバイモードとなったマイクロコンピュータ１５によってＳ１信号，ＳＢ信号が監視される。
【００５２】
撮影する場合には、ファインダで構図を決めた後にレリーズボタン７を全押し位置にまで押圧する。なお、ストロボ撮影を行う場合には、ストロボ操作部材５をオン位置とし、充電が完了したことを確認してからレリーズボタン７を押圧する。
【００５３】
レリーズボタン７を押圧操作すると、その押圧によりレリーズボタン７が半押し位置となった時点でＳ１信号がオンとなる。これにより、マイクロコンピュータ１５が動作制御モードとなってから、分岐処理が実行される。Ｓ１信号がオンであるとともに、裏蓋１３が閉じられてＳＢ信号がオフとなっているから、図５に示されるレリーズ処理が実行される。
【００５４】
図５に示されるように  レリーズ処理では、まず、最初の３ステップによってＳＨＣ信号，ＳＢ信号，給送状態が調べられる。ＳＨＣ信号がオン，ＳＢ信号がオン，給送状態が「コマ送り中」の条件を全て満たしている場合には、ストロボ装置２５の充電を禁止してから、直ちに１コマ給送処理を開始する。また、いずれかの条件を１つでも満たしていない場合には、赤目防止ＬＥＤ１１を点灯させるステップが実行される。
【００５５】
裏蓋１３が閉じており、先のファーストフレームセットの際に給送状態が「コマ送り中」にセットされているから、ＳＢ信号，給送状態の条件を満たしているが、例えばレリーズボタン７を半押し位置にしている場合には、シャッタ駆動レバーのチャージ位置での係止が解除されていないのでＳＨＣ信号がオフとなっている。したがって、この場合には、次に赤目防止ＬＥＤ１１が点灯されてから、Ｓ１信号及びＳＨＣ信号の監視が繰り返し行われる。
【００５６】
レリーズボタン７を半押し位置から全押し位置に押し込むと、これに応答してシャッタ装置２４内でのシャッタ駆動レバーの係止が解除され、このシャッタ駆動レバーがチャージ位置からリリース位置に向けて移動を開始する。これにより、シャッタ羽根の開閉動作が行われて写真フイルムに対して露光が行われる。
【００５７】
上記のようにシャッタ駆動レバーがチャージ位置からリリース位置に向けて移動を開始すると、ＳＨＣ信号がオンとなる。ＳＨＣ信号がオンとなると、その瞬間にマイクロコンピュータ１５により赤目防止ＬＥＤ１１が消灯されるとともに、このマイクロコンピュータ１５から充電禁止信号がストロボ装置２５に送出されて充電が禁止される。これにより、写真フイルムに対する露光中には、赤目防止ＬＥＤ１１が消灯されるとともに、次に行われる１コマ分のフイルム給送に備えてストロボ装置２５の充電動作が禁止される。
【００５８】
ストロボ装置２５の充電動作を禁止してから、ＳＢ信号がオフであること、すなわち裏蓋１３が開いていないことが確認されてから、処理フラグが調べられる。すなわち、１コマ給送処理，リワインド処理，予備巻処理のいずれか１つでも実施済であるか、これらの全ての処理が未実施であるかが調べられる。
【００５９】
この場合には、現在装填されている写真フイルムがマイクロコンピュータ１５のリセット後に初めて装填されたものであっても、予備巻処理が実施済であるから、処理フラグは実行済を示す「１」とされている。したがって、この場合には、このステップの条件判断は「Ｎｏ」となって，次に給送状態が「コマ送り中」であるか否かを判断するステップが実行される。なお、このステップは、撮影可能な状態に写真フイルムが装填されているか否かを調べており、処理フラッグが「１」であることによって、その給送状態に示される内容が有効であることがわかる。
【００６０】
前述のように、ファーストフレームセット時に給送状態が「コマ送り中」とされているから、この後に給送状態が「コマ送り中」に再セットされてから、１コマ給送処理が開始される。なお、「コマ送り中」でなければ撮影可能な状態に装填されていないとして１コマ給送処理を実施しないで分岐処理に移る。
【００６１】
なお、素早くレリーズボタン７を押圧操作した場合には、レリーズ処理に移行した時点でシャッタ駆動レバーの係止が外れて、ＳＨＣ信号がオンとなっていることがある。このような場合には、レリーズ処理の最初の３ステップで調べられる各条件を満たすことになるから、赤目防止ＬＥＤ１１の点灯させるステップが省略されて直ちにストロボ装置２５の充電が禁止され、そして給送状態が「コマ送り中」に再セットされてから１コマ給送処理が開始される。また、これらのステップにより、落下などによりカメラボディに強い衝撃が与えられたり、急激な振動が与えられてシャッタチャージされていない状態となってしまった場合にも、１コマ給送処理を行って撮影が継続できるようにしている。
【００６２】
１コマ給送処理では、給送モータ２１が逆転され、１コマ分の写真フイルムの巻き戻しが行われる。ＳＰＦ信号に基づいて１コマ分の巻き戻しが検知されると、給送モータ２１が停止される。また、この１コマ分のフイルム給送の間に、この写真フイルムの給送に連動してシャッタ装置２４がシャッタチャージされる。
【００６３】
なお、実際には１コマ給送処理は、充電が禁止されてから実行され、レリーズボタン７の押圧が解除されたのが確認されてから給送状態が「コマ送り中」に再セットされて、その後に給送モータ２１が逆転される。
【００６４】
１コマ給送処理の後、分岐処理が行われる。そして、この分岐処理で充電が許可されてから、ＳＢ信号及びＳ１信号のオフによって、裏蓋１３が閉じられていること及びレリーズボタン７の押圧が解除されていることが確認された後に、スタンバイ処理が実行されて、マイクロコンピュータ１５がスタンバイモードとなり、ＳＢ信号，Ｓ１信号が監視される。
。
【００６５】
以下、同様にしてレリーズボタン７の押圧操作によりに撮影が行われ、撮影後にレリーズボタン７の押圧が解除されると、写真フイルムの１コマ給送が行われることのより、順次に撮影が進められる。
【００６６】
プレワインド処理で巻き上げられた写真フイルムの長さに応じた撮影可能なコマ数分の撮影が完了した後の１コマ給送処理では、図示しないフイルムカウント機構によってシャッタチャージが禁止される。このため、この１コマ給送処理中では、ＳＰＦ信号に基づいて１コマ分のフイルム給送が検知された時点でＳＨＣ信号がオンのままとなる。このようにＳＰＦ信号による１コマ分のフイルム給送の完了時にＳＨＣ信号がオンのままであるあと、マイクロコンピュータ１５はリワインド処理を実行して残りの全ての写真フイルムをパトローネ内に巻き戻す。そして、このリワインド処理を完了した時点で、マイクロコンピュータ１５によって給送状態が「初期状態」とされる。なお、全ての写真フイルムをパトローネ内に巻き戻したことは、ＳＰＦ信号に基づいて検知できる。
【００６７】
撮影者は、リワインド処理の完了後、裏蓋操作部材９を操作して裏蓋１３を開放し、パトローネ取り出す。この後に、新たな写真フイルムを装填すれば、上記と同様な処理が行われて、プレワインド処理、ファーストフレームセットの後に撮影を行うことができる。
【００６８】
次に、マイクロコンピュータ１５がリセットされた場合について説明する。マイクロコンピュータ１５のリセットの原因としては、マイクロコンピュータ１５に供給される電池１６の出力電圧の低下や、ストロボ発光にともなう電気的なのノイズの影響等がある。
【００６９】
例えばプレワインド処理の完了時には、パトローネのスプールとカメラ側の巻取りスプールとの間で写真フイルムの引っ張りが生じ、給送モータの負荷が上昇することにより、電池１６からは比較的に大きな電流が流れる。このため、電池１６の出力電圧が低下してマイクロコンピュータ１５が停止してしまう。これにともない給送モータ２１が停止して、電池１６の出力電圧が戻ると、再びマイクロコンピュータ１５が再起動する。このようにして、マイクロコンピュータ１５がリセットされる。
【００７０】
マイクロコンピュータ１５が起動したときに最初に行う初期処理を図６に示す。マイクロコンピュータ１５は、起動後に、Ｉ／Ｏ回路を初期化してから、ＲＡＭ１５ｂを初期化する。これにより、給送状態として「初期状態」がセットされるとともに、レリーズ処理内の条件判断で用いられるに対する処理フラグが１コマ給送処理，予備巻処理，リワインド処理がいずれも未実施であることを示す「０」とされる。
【００７１】
次にＳＢ信号，ＳＨＣ信号が調べられる。この場合には、プレワインド処理が完了した後であるから裏蓋１３が閉じられている。また、ファーストフレームセトを行う前であるからシャッタチャージはされていない。したがって、ＳＢ信号がオフ，ＳＨＣ信号がオンとなっているので、給送状態として「コマ送り中」がセットされてから１コマ給送処理が行われ、レリーズボタン７の押圧操作後に行われる場合と同様な手順により給送モータ２１が逆転されて、１コマ分の写真フイルムが巻き戻される。
【００７２】
これにより、プレワインドが完了した時点から、写真フイルムの１コマ給送が行われるとともに、この１コマ給送によってシャッタ装置２４がシャッタチャージされる。また、１コマ給送が完了すると、ＲＡＭ１５ｂの処理フラグが「１」とされる。
【００７３】
１コマ給送後には上記の場合と同様に分岐処理を経てスタンバイモードが実行される。スタンバイモード下でレリーズボタン７を押圧すれば、レリーズ処理が行われる。そして、マイクロコンピュータ１５の起動直後に行われた１コマ給送によって、給送状態が「コマ送り中」にされ、この１コマ給送が完了することによって処理フラグが「１」とされているから、この後にはマイクロコンピュータ１５がリセットされなかった場合と同じ手順により、撮影を継続することができる。
【００７４】
また、１コマの撮影後にシャッタチャージされる前にマイクロコンピュータ１５がリセットされた場合、例えばストロボ発光が行われた際に発生する電気的なノイズでマイクロコンピュータ１５が停止され、その後に起動したような場合であっても、上記同じ手順で処理が実行されるので撮影が継続できる。
【００７５】
一方、例えば１コマの撮影完了後の１コマ給送の後に、ストロボ装置２５が充電を開始したことにより、電池１６の出力電圧が低下してマイクロコンピュータ１５がリセットされてしまうことがある。このような場合には、シャッタチャージされた状態でマイクロコンピュータ１５がリセットされて、起動することになる。
【００７６】
上記のようにシャッタチャージされた状態でマイクロコンピュータ１５がリセットされた場合であっても、マイクロコンピュータ１５が起動すると前述と同様に初期処理が実行される。しかし、この場合にはシャッタチャージされた状態であってＳＨＣ信号がオンとなっているから、分岐処理を経て，スタンバイ処理が実行され、スタンバイモード下でＳ１信号，ＳＢ信号が監視される。
【００７７】
この後に、レリーズボタン７を押圧操作すると、マイクロコンピュータ１５が動作制御モードとなってから、分岐処理を経てレリーズ処理が行われる。この場合にも、マイクロコンピュータ１５がリセットされていない場合と同様に、最初にＳＨＣ信号，ＳＢ信号，給送状態が調べられるが、マイクロコンピュータ１５のリセットの後なので給送状態が「初期状態」となっている。
【００７８】
このため、すでにこの時点でレリーズボタン７が全押し位置とされてシャッタ駆動レバーがリリース位置に向けて移動を開始しているか否かに関わらず、赤目防止ＬＥＤ１１の点灯の処理が行われてから、ＳＨＣ信号がオフからオンに変化したか否かの判断のステップが実行される。
【００７９】
そして、すでにシャッタ駆動レバーがリリース位置に向けて移動を開始していればＳＨＣ信号がオンになっているので直ちに、またレリーズボタン７が半押し位置に維持されていれば、これが全押し位置に押圧されてシャッタ駆動レバーがリリース位置に向けて移動を開始してから、赤目防止ＬＥＤ１１の消灯，ストロボ装置２５の充電禁止、ＳＢ信号がオフであることの確認が順次に行われる。
【００８０】
この後に、処理フラグを参照して１コマ給送処理，リワインド処理，予備巻処理のいずれか１つでも実施済であるか、これらの全ての処理が未実施であるかを調べるステップが実行される。なお、シャッタ駆動レバーのチャージ位置からリリース位置へ移動すれば、通常の撮影と同様にシャッタ羽根の開閉動作が行われ、写真フイルムに露光が行われる。
【００８１】
リセットにより、処理フラグは、上記の１コマ給送処理，リワインド処理，予備巻処理が行われていないことを示す「０」となっているから、この条件判断が「Ｙｅｓ」となって、撮影可能な状態に写真フイルムが装填されているか否かを判断するステップを実行せずに、給送状態が「コマ送り中」に変更されてから１コマ給送処理が行われるとともに、１コマ給送によってシャッタ装置２４がシャッタチャージされる。また、この１コマ給送処理が完了すると処理フラグが「１」とされる。
【００８２】
１コマ給送後には上記の場合と同様に分岐処理を経てスタンバイモードが実行される。この状態は、マイクロコンピュータ１５がリセットされることなく、写真フイルムを装填して撮影を続けている場合と同じである。したがって、撮影を継続することができる。
【００８３】
以上のように、撮影可能な写真フイルムが装填されている状態で、マイクロコンピュータ１５がリセットされたとしても、リセット時点でのシャッタチャージの有無に関わりなく、その写真フイルムを使用しての撮影が可能であるとともに、シャッタチャージされているときには、レリーズボタン７が押圧に応答してシャッタチャージされている状態からされていない状態に変化したときに、またシャッタチャージされていないときにはマイクロコンピュータ１５が起動したときに１コマ給送を行って撮影を継続できるようにしたから、撮影コマを無駄にすることがない。
【００８４】
【発明の効果】
以上詳細に説明したように、本発明によれば、マイクロコンピュータがリセットされた際にシャッタチャージされていない場合には、給送モータを駆動して１コマ分のフイルム給送を行い、その給送結果に応じて撮影可能な状態に写真フイルムが装填されているか否かを示す装填情報を更新する。また、装填情報が起動後に更新されたものでない場合には、シャッタチャージされていない状態に変化した際には、１度だけ装填情報にかかわらず１コマ分のフイルム給送を行って給送結果に応じて装填情報を更新するから、マイクロコンピュータがリセットされても写真フイルムを無駄にすることなく、撮影を継続することができる。
【図面の簡単な説明】
【図１】本発明を実施したカメラの外観を示す斜視図である。
【図２】カメラの要部構成を示すブロック図である。
【図３】待ち受け動作であるスタンバイモードと、動作制御モードを切り替えるスタンバイ処理を示すフローチャートである。
【図４】レリーズボタン等の操作に応じて実行する処理を分岐させる分岐処理を示すものである。
【図５】レリーズボタンが押圧されたときに実行されるレリーズ処理を示すフローチャートである。
【図６】マイクロコンピュータがリセットされた後に最初に行う初期処理を示すフローチャートである。
【符号の説明】
７  レリーズボタン
１５  マイクロコンピュータ
２１  給送モータ
２４  シャッタ装置
３１〜３４  スイッチ
【図１】
2004302277.tif 000003
【図２】
2004302277.tif 000004
【図３】
2004302277.tif 000005
【図４】
2004302277.tif 000006
【図５】
2004302277.tif 000007
【図６】
2004302277.tif 000008